(57)【要約】【課題】本発明は、道路の路肩などに設置される側溝や管渠において、その形状が異なるものを接続する場合においても、いわゆる集水桝を間に設置して大きさや外形の異なる側溝や管渠を接続施工する必要がなく、内部に異なった空間路を有する構造物の接続ブロックによってスムーズに接続できる内部に異なった空間路を有する構造物の接続ブロックを提供することを目的とする。【解決手段】内空断面形状の異なる内部空間路をもった構造物間に設けられ、前記内空断面形状の異なる内部空間路をもった構造物を接続する接続ブロックであり、前記接続ブロックの一方側側面に設けられた第一開口部と、該第一開口部と異なった開口形状の他方側側面に設けられた第二開口部との間の接続ブロックの内空断面形状を変化させて前記第一開口部の形状から前記第二開口部の形状にしてなることを特徴とする。【選択図】    図１
2018111975.tif 000002
【特許請求の範囲】
【請求項１】
内空断面形状の異なる内部空間路をもった構造物間に設けられ、前記内空断面形状の異なる内部空間路をもった構造物を接続する接続ブロックであり、
前記接続ブロックの一方側側面には、接続される一方側の構造物側面に設けられた内空断面形状と略同様の断面形状に形成された第一開口部が設けられ、接続ブロックの他方側側面には、接続される他方側の構造物側面に設けられた内空断面形状と略同様の断面形状に形成された第二開口部が設けられてなり、
前記接続ブロックの一方側側面に設けられた第一開口部と、該第一開口部と異なった開口形状の他方側側面に設けられた第二開口部との間の接続ブロックの内空断面形状を変化させて前記第一開口部の形状から前記第二開口部の形状にしてなる、
ことを特徴とする内部に異なった空間路を有する構造物の接続ブロック。
【発明の詳細な説明】
【技術分野】
【０００１】
本発明は、いわゆる内空断面形状の異なる内部空間路をもった２つの構造物、例えば異なる内空断面形状をもった内部空間路を有する側溝や管渠を接続するため、その間に設置される接続ブロックに関するものである。
【背景技術】
【０００２】
道路の路肩などに設置される側溝や管渠において、その形状（大きさや外形）が異なるもの（特に形状の異なる内部空間路を有するもの）を接続する場合は、いわゆる集水桝を間に設置し、大きさや外形の異なる側溝や管渠を接続施工するものとしていた。
【０００３】
また、古い側溝・管渠が設置されている先に、新しい側溝・管渠を施工するときや古い側溝・管渠の一部を撤去し、該撤去部に新たに側溝・管渠を設置するときなど、この新たに設置する箇所に異なる形状ではあるが、いわゆる最新式の高機能な側溝・管渠を採用しようとしても、その接続部においても、従来高コストの集水桝を設置しなければならず、きわめて不経済であるとの課題があった。
【先行技術文献】
【特許文献】
【０００４】
【特許文献１】特開２０１３―８７５２９号公報
【発明の概要】
【発明が解決しようとする課題】
【０００５】
かくして、本発明は、前記従来の課題を解消するために創案されたものであり、道路の路肩などに設置される側溝や管渠において、その形状（大きさや外形）が異なるもの（特に形状の異なる内部空間路を有するもの）を接続する場合においても、いわゆる集水桝を間に設置して大きさや外形の異なる側溝や管渠を接続施工する必要がなく、また、古い側溝・管渠が設置されている先に、新しい側溝・管渠を施工するときや古い側溝・管渠の一部を撤去し、該撤去部に新たに側溝・管渠を設置するときなど、この新たに設置する箇所に異なる形状ではあるが、いわゆる最新式の高機能な側溝・管渠を採用しようとしても、その接続部においても、集水桝を設置する必要がなく、内部に異なった空間路を有する構造物の接続ブロックによってスムーズに接続できる内部に異なった空間路を有する構造物の接続ブロックを提供することを目的とするものである。
【課題を解決するための手段】
【０００６】
本発明は、
内空断面形状の異なる内部空間路をもった構造物間に設けられ、前記内空断面形状の異なる内部空間路をもった構造物を接続する接続ブロックであり、
前記接続ブロックの一方側側面には、接続される一方側の構造物側面に設けられた内空断面形状と略同様の断面形状に形成された第一開口部が設けられ、接続ブロックの他方側側面には、接続される他方側の構造物側面に設けられた内空断面形状と略同様の断面形状に形成された第二開口部が設けられてなり、
前記接続ブロックの一方側側面に設けられた第一開口部と、該第一開口部と異なった開口形状の他方側側面に設けられた第二開口部との間の接続ブロックの内空断面形状を変化させて前記第一開口部の形状から前記第二開口部の形状にしてなる、
ことを特徴とするものである。
【発明の効果】
【０００７】
本発明による内部に異なった空間路を有する構造物の接続ブロックであれば、道路の路肩などに設置される側溝や管渠において、その形状（大きさや外形）が異なるもの（特に形状の異なる内部空間路を有するもの）を接続する場合においても、いわゆる集水桝を間に設置して大きさや外形の異なる側溝や管渠を接続施工する必要がなく、また、古い側溝・管渠が設置されている先に、新しい側溝・管渠を施工するときや古い側溝・管渠の一部を撤去し、該撤去部に新たに側溝・管渠を設置するときなど、この新たに設置する箇所に異なる形状ではあるが、いわゆる最新式の高機能な側溝・管渠を採用しようとしても、その接続部においても、集水桝を設置する必要がなく、内部に異なった空間路を有する構造物の接続ブロックによってスムーズに接続できるとの優れた効果を奏する。
【図面の簡単な説明】
【０００８】
【図１】本発明による構造物の接続ブロックの構成を説明する構成説明図（１）である。
【図２】本発明による構造物の接続ブロックの構成を説明する構成説明図（２）である。
【図３】本発明の製造工程を説明する説明図（１）である。
【図４】本発明の製造工程を説明する説明図（２）である。
【図５】本発明の製造工程を説明する説明図（３）である。
【図６】本発明の製造工程を説明する説明図（４）である。
【図７】本発明の製造工程を説明する説明図（５）である。
【図８】本発明の製造工程を説明する説明図（６）である。
【図９】本発明の製造工程を説明する説明図（７）である。
【図１０】本発明の製造工程を説明する説明図（８）である。
【図１１】本発明の使用状態を説明する説明図である。
【発明を実施するための最良の形態】
【０００９】
以下、本発明を図に示す実施例に基づいて説明する。
図１に、本発明による接続ブロック１の一方側側面２に設けられた第一開口部３の形状を示す。図１から理解される様に、第一開口部３の形状は縦長の略楕円形状をなして形成されている。
【００１０】
次に、図２に本発明による接続ブロック１の他方側側面４に設けられた第二開口部５の形状を示す。図２から理解されるように、第二開口部５の形状は、前記第一開口部３よりかなり大きい形状の略四角形状をなして形成されている。
【００１１】
そして、接続ブロック１の内部においては、第一開口部３の形状から第二開口部５の形状に向かっては、徐々に接続ブロック内部でその内空断面形状を変化させて、第一開口部３の縦長の略楕円形状から第二開口部５の略四角形状へと変化する形状に構成されている。
【００１２】
ここで、接続ブロック１の内部においては、第一開口部３の形状から第二開口部５の形状に向かっては、徐々に接続ブロック内部でその内空断面形状を変化させて、第一開口部３の縦長の略楕円形状から第二開口部５の略四角形状へと変化する形状としているが、この第一開口部３の形状から第二開口部５の形状に向かって、徐々に接続ブロック１の内部でその内空断面形状を変化させて、第一開口部３の縦長の略楕円形状から第二開口部５の略四角形状へと変化する内部形状に構成する接続ブロック１の内型枠の作製方法については各種あり、例えば３Ｄプリンターを使用しての作製などが考えられる。
【００１３】
次に、本発明による接続ブロック１の製造法につき説明する。
例えば、図３に示すように、略四角形状をなす底型枠８の略中央に内型枠１１を載置する。
【００１４】
内型枠１１は、例えば複数の内型枠形成部材９によって形成する。そして、形成された内型枠１１の下側の面、即ち底型枠８と接する面に縦長の略楕円形状の第一開口部３を形成し、上側の面に略四角形状をなす第二開口部５を形成する。
【００１５】
そして、符号６は、底型枠８の外周端面から立設される外側型枠であり、内型枠１１を載置した後、図５に示すように外側型枠６も枠組みして型枠を構成する。
【００１６】
その後、図６に示すように鉄筋７を配筋し、図７に示すように生コンクリート１０を充填投入する。図８に示すように所定時間養生した後、図９に示すように脱型する。
そして、図１０に示すような接続ブロック１を完成させることが出来るのである。
【００１７】
ここで、異なった内空断面形状の排水路を有する管渠１３を本発明による接続ブロック１で接続した状態を図１１に示す。この図では排水路が略凹溝状をなした排水溝、即ちＵ字溝１２と縦長の略楕円形状の排水路を有する暗渠１４とを本発明による接続ブロック１で接続した例である。
【００１８】
このように本発明の接続ブロック１は、該接続ブロック１の一方側の側面にはある形状の穴（Ａ断面形状）が開いていて、他方側にはそれとは違う形状の穴（Ｂ断面形状）が開いており、接続ブロック１の内部では、長手方向両端面側にある前記の２つの違う形状が滑らかに繋がっているコンクリート製接続ブロック１として構成したものである。
【００１９】
この接続ブロック１を使用すれば、Ａ断面形状の側溝・管渠と、Ｂ断面の側溝・管渠との間に簡単に設置でき、しかも滑らかに水が流れる水路を有する管渠１３を提供できるものとなる。
【００２０】
例えば、図１１に示すように、Ｕ字溝１２と縦長の略楕円形状の水路である暗渠１４とを接続する場合、接続ブロック１の一方側の側面はＵ字形状の穴が開いていて、他方側の側面は縦長の略楕円形状の穴が開いていて、接続ブロック１内部ではその内空断面形状がなめらかに連続して形成できているのである。
【００２１】
そして、本発明は上記の開口の例に限定されるものではなく、様々な内空断面形状に対応できる異なった開口を有する接続ブロック１が考えられるのである。
【符号の説明】
【００２２】
１    接続ブロック
２    一方側側面
３    第一開口部
４    他方側側面
５    第二開口部
６    外側型枠
７    鉄筋
８    底型枠
９    内部型枠形成部材
１０  生コンクリート
１１  内型枠
１２  Ｕ字溝
１３  管渠
１４  暗渠
【図１】
2018111975.tif 000003
【図２】
2018111975.tif 000004
【図３】
2018111975.tif 000005
【図４】
2018111975.tif 000006
【図５】
2018111975.tif 000007
【図６】
2018111975.tif 000008
【図７】
2018111975.tif 000009
【図８】
2018111975.tif 000010
【図９】
2018111975.tif 000011
【図１０】
2018111975.tif 000012
【図１１】
2018111975.tif 000013